(57)【要約】      （修正有）【課題】箸やフォークやスプーン等の食用具を複数本同時に収納可能とした食用具の収納容器を提供する。【解決手段】箸とフォークとスプーンの１種又は複数種から選ばれた食用具の複数本を上下に積層した状態で収納する上部開口状の収納室２を備えた容器本体１と、前記容器本体に対してスライド機構１４を介してスライド自在に係合された蓋体３とから成り、容器本体の両側壁５，５に摘み窓８，８を形成すると共に底壁４に弾性枕部材９を設け、前記スライド機構に傾斜角度θを形成することにより、蓋体を閉鎖方向にスライドしたときより食用具を押下して弾性枕部材９を圧縮変形し、蓋体を開放方向にスライドしたとき弾性枕部材９の復元により食用具を押し上げると共に、摘み窓８，８を介して食用具を摘み上げるように構成している。【選択図】図３
0003192718.tif 000002
【実用新案登録請求の範囲】
【請求項１】
箸とフォークとスプーンの１種又は複数種から選ばれた食用具(M)の複数本を上下に積層した状態で収納する上部開口状の収納室(2)を備えた容器本体(1)と、前記容器本体の開口部を開閉自在に施蓋する蓋体(3)とから成り、
前記容器本体(1)は、前記収納室の両側に沿って食用具の長手方向に延びる両側壁(5,5)を備えると共に、該両側壁の対向個所に該両側壁の上縁から切欠き状の摘み窓(8,8)を形成し、
前記蓋体(3)は、前記容器本体の開口部を閉鎖する閉鎖壁(12)と、前記容器本体の両側壁の外側に重ねられるスライド壁(13,13)を備え、
前記蓋体のスライド壁を前記容器本体の両側壁の長手方向にスライド自在に係合するスライド機構(14)を設けており、前記蓋体(3)を前進方向Ｆにスライドすることにより前記容器本体(1)の開口部を閉鎖し、後退方向Ｒにスライドすることにより前記容器本体(1)の開口部を開放すると共に前記摘み窓(8,8)を介して指先で食用具の両側を摘まむことにより前記開口部から取出すように構成して成ることを特徴とする食用具の収納容器。
【請求項２】
前記摘み窓(8,8)は、容器本体の両側壁(5,5)の長手方向に関して前記前進方向Ｆ寄りの個所に形成されており、
前記スライド機構(14)は、蓋体(3)を後退方向Ｒに向けてスライドするに従い該蓋体の閉鎖壁(12)を容器本体の開口部から上方に向けて離反するように傾斜角度θを形成して成ることを特徴とする請求項１に記載の食用具の収納容器。
【請求項３】
前記摘み窓(8,8)に対応する位置において前記収納室の底部に弾性枕部材(9)を設け、蓋体を前進方向Ｆにスライドすることにより容器本体の開口部を閉鎖したとき、該蓋体の閉鎖壁(12)が食用具(M)を押下して弾性枕部(9)を圧縮変形し、蓋体を後退方向Ｒにスライドすることにより容器本体の開口部を開放したとき、前記弾性枕部(9)が復元して食用具(M)を押し上げるように構成して成ることを特徴とする請求項１又は２に記載の食用具の収納容器。
【考案の詳細な説明】
【技術分野】
【０００１】
本考案は、箸やフォークやスプーン等の食用具を複数本同時に収納可能とした食用具の収納容器に関する。
【背景技術】
【０００２】
従来、食品を収納した弁当箱を携帯する際は、箸箱等の食用具を収納した収納容器を同時に携帯するのが一般的である。
【０００３】
この際、収納容器は、浅底に形成されており、箸やフォークやスプーン等の食用具のうち、１本の食用具だけを収納するように構成されている。
【先行技術文献】
【特許文献】
【０００４】
【特許文献１】特開２００９−２６１５５７号公報
【考案の概要】
【考案が解決しようとする課題】
【０００５】
ところが、近年、弁当箱の多様化に伴い、１本の食用具だけでなく、箸とフォークとスプーンの１種又は複数種から選ばれた食用具の複数本を携帯可能とする収納容器を提供することが望ましい。
【０００６】
この際、複数本の食用具は、上下に積層した状態で収納可能とすることが好ましく、これにより、収納容器を嵩張らずコンパクトに形成することが可能になる。
【０００７】
しかしながら、積層状態とした複数本の食用具を収納するためには、容器の収納室が深底となるので、食用具を容器から取出す作業が困難となり、この点に関して改善すべき課題がある。
【課題を解決するための手段】
【０００８】
本考案は、上記課題を解決した食用具の収納容器を提供するものであり、その手段として構成したところは、箸とフォークとスプーンの１種又は複数種から選ばれた食用具の複数本を上下に積層した状態で収納する上部開口状の収納室を備えた容器本体と、前記容器本体の開口部を開閉自在に施蓋する蓋体とから成り、前記容器本体は、前記収納室の両側に沿って食用具の長手方向に延びる両側壁を備えると共に、該両側壁の対向個所に該両側壁の上縁から切欠き状の摘み窓を形成し、前記蓋体は、前記容器本体の開口部を閉鎖する閉鎖壁と、前記容器本体の両側壁の外側に重ねられるスライド壁を備え、前記蓋体のスライド壁を前記容器本体の両側壁の長手方向にスライド自在に係合するスライド機構を設けており、前記蓋体を前進方向Ｆにスライドすることにより前記容器本体の開口部を閉鎖し、後退方向Ｒにスライドすることにより前記容器本体の開口部を開放すると共に前記摘み窓を介して指先で食用具の両側を摘まむことにより前記開口部から取出すように構成して成る点にある。
【０００９】
前記摘み窓は、容器本体の両側壁の長手方向に関して前記前進方向Ｆ寄りの個所に形成することが好ましく、前記スライド機構は、蓋体を後退方向Ｒに向けてスライドするに従い該蓋体の閉鎖壁を容器本体の開口部から上方に向けて離反するように傾斜角度θを形成することが好ましい。
【００１０】
本考案の好ましい実施形態は、前記摘み窓に対応する位置において前記収納室の底部に弾性枕部材を設け、蓋体を前進方向Ｆにスライドすることにより容器本体の開口部を閉鎖したとき、該蓋体の閉鎖壁が食用具を押下して弾性枕部を圧縮変形し、蓋体を後退方向Ｒにスライドすることにより容器本体の開口部を開放したとき、前記弾性枕部が復元して食用具を押し上げるように構成している。
【考案の効果】
【００１１】
本考案によれば、容器本体１に複数本の食用具Ｍを上下に積層した状態で収納し、蓋体３を閉鎖した状態で、好適に携帯することが可能である。そして、食用具Ｍの使用に際しては、蓋体３を後退方向Ｒにスライドさせると、簡単に容器本体１の開口部が開放され、この際、蓋体３を後退方向Ｒに向けて最後までスライドさせなくても、スライドの初期段階で摘み窓８が開放されるので、ユーザは、該摘み窓８を介して指先で食用具Ｍの両側を摘まむことにより、深底状の容器本体１から簡単容易に食用具Ｍを取出すことができるという効果がある。
【００１２】
この際、蓋体３を後退方向Ｒにスライドさせると、スライド機構１４の傾斜角度θにより、蓋体３の閉鎖壁１２が容器本体１の開口部から上方に向けて離反しながら該開口部を開放すると共に、開口縁と閉鎖壁１２の間のクリアランスを拡大し、しかも、弾性枕部材９の復元により、前記拡大されるクリアランスに向けて食用具Ｍを押し上げるので、蓋体３を後退方向Ｒに向けて中途位置までスライドするだけで、食用具Ｍを指先で摘み上げることが可能となり、容器本体１の開口部から取出すことが可能になる。
【図面の簡単な説明】
【００１３】
【図１】本考案の１実施形態を示しており、（Ａ）は容器本体の開口部を閉鎖した状態を示す斜視図、（Ｂ）は容器本体の開口部を開放した状態を示す斜視図である。
【図２】容器本体と蓋体と食用部を分解した状態を示す斜視図である。
【図３】容器本体と蓋体を分解すると共に一部破断した状態で示す斜視図である。
【図４】（Ａ）は容器本体の開口部を閉鎖した状態を示す断面図、（Ｂ）は弾性枕を示す拡大断面図、（Ｃ）は弾性枕の圧縮変形された状態を示す断面図、（Ｄ）は容器本体の開口部を開放した状態を示す断面図である。
【考案を実施するための形態】
【００１４】
以下図面に基づいて本考案の好ましい実施形態を詳述する。
【００１５】
図１ないし図３に示すように、食用具の収納容器は、箸Ｍ１とスプーンＭ２とフォークＭ３の１種又は複数種から選ばれた食用具Ｍの複数本を上下に積層した状態で収納する上部開口状の収納室２を備えた容器本体１と、前記容器本体１の開口部を開閉自在に施蓋する蓋体３により構成されている。
【００１６】
図例の場合、箸Ｍ１とスプーンＭ２とフォークＭ３の３本から成る食用具Ｍを下から順に積層した状態で収納室２に収納する例を示しているが、この組合せ以外の態様で組合せた複数本の食用具Ｍを収納しても良い。
【００１７】
前記容器本体１は、底壁４と、該底壁４の両側に沿って食用具Ｍの長手方向に延びる両側壁５、５と、前端壁６と、後端壁７により囲まれた上部開口状で深底状の収納室２を区成しており、前記両側壁５、５の対向個所に該側壁の上縁から切欠き状の摘み窓８、８を開設している。
【００１８】
前記摘み窓８、８は、両側壁５、５のうち前端壁６の近傍部（つまり、両側壁５、５の長手方向に関して後述する蓋体３の前進方向Ｆ寄りの個所）に設けられている。そして、前記摘み窓８に対応する位置において前記底壁４により形成された収納室２の底部に弾性枕部材９が設けられている。
【００１９】
更に、前記両側壁５、５の内側には、複数の縦リブ１０が形成され、収納室２に収納した食用具Ｍが両側の縦リブ１０、１０によりガタツキのない状態で納められるように構成している。尚、前端壁６の外側にはループ状の把持部１１が突設され、収納容器の携帯や吊下げ保管等の便宜に供される。
【００２０】
前記蓋体３は、前記容器本体１の上部の開口部を閉鎖する閉鎖壁１２と、前記容器本体１の両側壁５、５の外側に重ねられるスライド壁１３、１３を備えており、前記スライド壁１３、１３と前記容器本体１の両側壁５、５の間に、スライド壁１３、１３を長手方向にスライド自在に係合するスライド機構１４を構成している。
【００２１】
前記スライド機構１４は、容器本体１の両側壁５、５の外側に突出して長手方向に延びるレール１５と、蓋体３のスライド壁１３、１３の内側に凹入して長手方向に延びる溝１６により構成され、レール１５と溝１６を摺動自在に嵌合することにより、図１に矢印で示すように、蓋体３を前進方向Ｆと後退方向Ｒにスライド自在として容器本体１に係合している。これにより、蓋体３は、前進方向Ｆにスライドしたとき容器本体１の開口部を閉鎖し、後退方向Ｒにスライドしたとき容器本体１の開口部を開放する。
【００２２】
図３に示すように、前記スライド機構１４を構成するレール１５及び溝１６は、前記後退方向Ｒに向けて次第に上向きとなる傾斜角度θを有するように形成されており、従って、蓋体３は、前進方向Ｆにスライドしたとき、閉鎖壁１２を容器本体１の開口縁に次第に近接させ、後退方向Ｒにスライドしたとき、閉鎖壁１２を容器本体１の開口縁から次第に離反させる。
【００２３】
前記レール１５の尾端部（後退方向Ｒの端部）には下側に突出する突起１５ａが設けられ、前記溝１６の前端部（前進方向Ｆの端部）には前記突起１５ａに当接可能な突起１６ａが設けられている。従って、蓋体３を後退方向Ｒにスライドして容器本体１の開口部を開放したとき、前記突起１５ａ、１６ａが当接することにより、蓋体３が容器本体１から分離することを防止するストッパを構成する。尚、ストッパが機能した状態から更に蓋体３を後退方向Ｒに向けて強い力でスライドさせると、スライド壁１３、１３の撓みを介して、前記突起１６ａが突起１５ａを乗り越え、蓋体３を容器本体１から分離可能とするように構成されている。
【００２４】
前記弾性枕部材９は、シリコンゴム等の柔軟な弾性材により一体成形され、容器本体１の底壁４の横断方向に配置される座板部１７と、該座板部１７から断面へ字状に形成されて前後方向に延設された翼部１８、１８を備えている。尚、座板部１７は、底壁４から突設されたピンに着脱自在に嵌着されている。
【００２５】
上記構成によれば、図４（Ａ）に示すように、容器本体１は、深底に形成されているので、複数本の食用具Ｍを上下に積層した状態で好適に収納し、前記スライド機構１４を介して係合した蓋体３を前進させることにより、容器本体１の開口部を閉鎖する。従って、食用具Ｍを収納した状態で携帯することができる。
【００２６】
この際、開口部を開放した状態で容器本体１に食用具Ｍを収納したとき、最下位の食用具Ｍが弾性枕部材９に載置され、この状態で、最上位の食用具Ｍが開口部から僅か上方に突出している。そこで、この状態から蓋体３を前進方向Ｆにスライドさせると、前記スライド機構１４の傾斜角度θにより、蓋体３の閉鎖壁１２が容器本体１の開口部に向けて下降しながら該開口部を閉鎖し、該閉鎖壁１２により食用具Ｍを押下し、弾性枕部材９を圧縮する。
【００２７】
つまり、弾性枕部材９は、図４（Ｂ）に示すように、無荷重状態で翼部１８、１８を上向きに隆起させているが、前述のように食用具Ｍを載置すると共に該食用具Ｍを押下すると、図４（Ｃ）に示すように圧縮変形され、食用具Ｍを上向きに弾発する。
【００２８】
従って、図４（Ａ）に示すように、蓋体３により容器本体１の開口部を閉鎖した状態において、食用具Ｍは、圧縮変形された弾性枕部材９により弾発されることにより、該弾性枕部材９と閉鎖壁１２の間に挟持され、収納室２の内部においてガタツキのない状態で保持される。その結果、収納容器の携帯中、内部の食用具Ｍがガタツキによりカラカラと音を立てることはない。
【００２９】
食用具Ｍを使用するため、蓋体３を後退方向Ｒにスライドさせると、図４（Ｄ）に示すように、容器本体１の開口部が開放される。蓋体３は、後退方向Ｒに向けて最後までスライドさせなくても、スライドの初期段階で摘み窓８を開放するので、ユーザは該摘み窓８を介して指先で食用具Ｍの両側を摘まむことができる。
【００３０】
この際、蓋体３を後退方向Ｒにスライドさせると、前記スライド機構１４の傾斜角度θにより、閉鎖壁１２は、容器本体１の開口部から上方に向けて離反しながら該開口部を開放すると共に、前記弾性枕部材９が復元することにより食用具Ｍを押し上げる。従って、開口縁と閉鎖壁１２の間のクリアランスが拡大され、しかも、弾性枕部材９の復元により、前記拡大されるクリアランスに向けて食用具Ｍを押し上げる。傾斜角度θを大きく設計すれば、クリアランスの拡大量も増加する。このため、前記ストッパを構成する突起１５ａ、１６ａが当接する位置まで蓋体３を後退方向Ｒにスライドしなくても、中途位置までスライドすれば、指先で摘まんだ食用具Ｍを摘み窓８の上方に引き上げ、開口部から抜き出すことができる。
【００３１】
尚、ユーザが収納容器の衛生を保つため洗浄するときは、蓋体３を後退方向Ｒに向けて強くスライドすることにより、蓋体３と容器本体１を分離し、更に、弾性枕部材９を取外すことにより、分解された各パーツを容易に洗浄することができる。
【符号の説明】
【００３２】
Ｍ  食用具
Ｍ１  箸
Ｍ２  スプーン
Ｍ３  フォーク
１  容器本体
２  収納室
３  蓋体
４  底壁
５  側壁
６  前端壁
７  後端壁
８  摘み窓
９  弾性枕部材
１０  縦リブ
１１  把持部
１２  閉鎖壁
１３  スライド壁
１４  スライド機構
１５  レール
１６  溝
１５ａ、１６ａ  突起
１７  座板部
１８  翼部
【図１】
0003192718.tif 000003
【図２】
0003192718.tif 000004
【図３】
0003192718.tif 000005
【図４】
0003192718.tif 000006